(57)【要約】【課題】本発明は、使用者の首に沿って適切に保冷することができ、且つ連続して保冷することのできる保冷用のホルダー、及び該保冷用のホルダーの製造方法を提供することを課題とする。【解決手段】首周りを冷やすのに使用する保冷剤の充填された保冷体と、該保冷体を収納する布体から構成された保冷用のホルダーであって、前記保冷体が長尺円柱状に形成され、且つ保冷体には、首に巻きつける際、該保冷体を馬蹄形状に形成するために、全体が馬蹄形状で断面形状が半円弧状の溝を有する型枠が設けられていることである。【選択図】図１
2013236895.tif 000002
【特許請求の範囲】
【請求項１】
首周りを冷やすのに使用する保冷剤を充填した保冷体と、該保冷体を収納する布体から構成された保冷用のホルダーであって、前記保冷体が長尺円柱状に形成され、且つ保冷体には、首に巻きつける際、該保冷体を馬蹄形に形成するために全体が馬蹄形状で断面が半円弧状の溝を有する型枠が設けられていることを特徴とする保冷用のホルダー。
【請求項２】
首周りを冷やすのに使用する保冷剤を充填した保冷体を冷凍した後、該保冷体を布体に収納することで製造する保冷用のホルダーの製造方法であって、長尺円柱状に形成された保冷体のうち対応する長さの保冷体を選択する第１の工程、複数の馬蹄形状で断面が半円弧状の溝の形成された型枠より対応する溝を選択して前記保冷体を溝に沿って嵌入し馬蹄形状に冷凍する第２の工程、その後前記保冷体を長尺筒状の布体に収納する第３の工程を有することを特徴する保冷用のホルダーの製造方法。
【発明の詳細な説明】
【技術分野】
【０００１】本発明は、暑さ対策として首に巻きつけて保冷剤を用いて首部分より体に涼を与える使用する保冷用のホルダー、及び該保冷用のホルダーの製造方法に関するものである。
【技術の背景】
【０００２】従来、暑い日のジョキング等の軽い運動、屋外のスポーツの観戦時等において暑さ対策として使用する保冷用のホルダーは、保冷剤の充填した袋状の保冷体と、該保冷体を複数個収納するポケットの設けられたタオル状の布体から構成され、前記保冷体を冷凍庫で冷凍し該保冷体を布体のポケットに収納して保冷用のホルダーを構成した後、該保冷用のホルダーを首に巻きつけることで、保冷体が首の周りを保冷しながら使用する。
【０００３】他の保冷用のホルダーとして、保冷剤と保冷剤との間に保冷剤の入っていない連結部を設けた長尺状の保冷体と、該保冷体を収納する袋状の布体から構成されている。使用する際は、上記と同様に保冷体を冷蔵し布体に収納することで保冷用のホルダーを構成し、首に巻きつけることで使用する。
【０００４】上記各保冷用のホルダーは、布体の保冷体のない部分、又は保冷体の連結部分を折り曲げることで、首に沿って保冷体が位置するようにして巻きつけて使用する。
【発明が解決しようとする課題】
【０００５】しかしながら、上記保冷用のホルダーは、分割した個別の保冷体、又は連結した複数の保冷体を使用するために布体には保冷体のない箇所があり、首周り全体の保冷効果としては不十分であった。
【０００６】また、保冷体は小袋として布体に収納するために、保冷体に充填した保冷剤の一つ一つの容積が少なく、このため暑い日においては保冷剤の解凍が早くすすみ、保冷する時間が短いという欠点があった。
【０００７】このため、保冷用のホルダーの使用時間に応じて保冷体の頻繁な交換を必要とする煩雑な作業があった。
【０００８】また、従来の保冷用のホルダーは、保冷剤のない部分で湾曲して首周りに位置するために、その形状が固定されてなく首部分より離反し易くその使用が不便であった。
【０００９】そこで、本発明は、その構成が簡易であり、適切に首回りを保冷することのでき、保冷する時間を延ばすことのできる保冷用のホルダー、及び該保冷用のホルダーの製造方法を提供することを課題とする。
【課題を解決するための手段】
【００１０】上記課題を解決するための本発明の保冷用のホルダーは、請求項１に記載のように、首周りを冷やすのに使用する保冷剤を充填した保冷体と、該保冷体を収納する布体から構成させた保冷用のホルダーであって、該保冷体が長尺略円柱状に形成され、且つ保冷体には、首に巻きつける際、該保冷体を馬蹄形に形成するために全体が馬蹄形状で断面が半円弧状の溝を有する型枠が設けられていることを特徴とする。
【００１１】上記課題を解決するための本発明の保冷用のホルダーの製造方法は、請求項２に記載のように、首周りを冷やすのに使用する保冷剤を充填した保冷体を冷凍した後、該保冷体を布体に収納することで使用する保冷用のホルダーの製造方法であって、長尺円柱状に形成された保冷体のうち対応する長さ保冷体を選択する第１の工程、複数の馬蹄形状で断面が半円弧状の溝の形成された型枠より対応する溝を選択して前記保冷体を溝に嵌入し馬蹄形状に冷凍する第２の工程、その後前記保冷体を長尺形状の布体に収納する第３の工程を有することを特徴とする。
【発明の作用及び効果】
【００１２】本発明の保冷用のホルダー及び該保冷用のホルダーの製造方法の作用効果について説明する。
【００１３】先ず、保冷用のホルダーは、保冷剤の充填した略円柱状の保冷体を、型枠に形成され全体が馬蹄形状で断面が半円弧状の溝に沿って嵌入して冷凍する。
【００１４】その後、前記保冷体を布体に収納して保冷用のホルダーを構成する。
【００１５】その後、該保冷体の湾曲部分を首の後ろ側に位置させることで、保冷用のホルダーを首の後ろ側より前方の頚動脈部分に沿って位置することができる。
【００１６】このため、容易に保冷用のホルダーを首部分に巻きつけすることができ、首部分よりの離反が少ない。
【００１７】また、保冷用のホルダーが馬蹄形状を維持しているために、首周りに一定に位置して体を保冷することができる。
【００１８】また、保冷体が袋体の全体に渡って設けられているために、全体で首より頚動脈に渡って保冷することができる。
【００１９】また、保冷体が長尺円柱状であるために、解凍に時間がかかり、長時間使用、又は連続使用することができる。
【００２０】次に、保冷用のホルダーの製造方法について説明する。先ず、保冷剤の充填された保冷体を長尺状に形成し、使用者に対応した長さの保冷体を選択する。
【００２１】次に、前記保冷体を馬蹄形状の溝の形成された型枠に装着して冷凍する。この際、使用者に応じて選択した前記保冷体を径の相違する複数の溝より適切な溝を選択することでより使用者に最適な馬蹄形状を巻きつけできる。
【００２２】その後、前記保冷体を布体に収納することで、保冷用のホルダーを製造することができる。
【００２３】このように、本発明の保冷用のホルダーの製造方法は、保冷体の馬蹄形を容易に製造することができ、しかも首の形状に応じて容易に巻きつけることができる。
【００２４】また、保冷体が馬蹄形状であるために、首よりの離反が少なく安定して装着することができる。
【発明を実施するための最良の形態】
【００２５】以下、本発明の保冷用のホルダー及び該保冷用のホルダーの製造方法の一実施例について図面を用いて説明する。【００２６】図１は本発明の保冷用のホルダーを示す概略説明平面図であり、図２は図１の保冷用のホルダーを示す概略説明側面図であり、図３は本発明の保冷用のホルダーの製造方法に使用する馬蹄形状の溝の形成された枠体を示す概略説明平面図であり、図４は図３の枠体を示す概略説明正面図であり、図５は本発明の保冷用のホルダーの使用状態を示す概略説明正面図である。【００２７】本発明の保冷用のホルダー１は、長尺の円柱状に形成され保冷剤（蓄冷剤、ポリビニールアルコール、カルボキシメチルセルローズ等）の充填された保冷体２と、該保冷体２を収納するタオル状の布体３、馬蹄形状の複数の溝４の穿設された枠体５から構成されている。【００２８】前記保冷体２は、使用者の首の後ろ側より前方の形状脈側まで届くように約３０〜７０センチメートルの間で長さの相違する複数本を有し、両端側が使用者の頚動脈部分に達する長さを選択することで、最適な保冷体２の選択ができる。【００２９】また、前記保冷体２の径の長さを約２０センチメートル以上に形成することで芯となる中央部分の解凍に時間を要し、長時間の使用を可能とする。【００３０】前記布体３は、タオルの生地で筒状に形成され、略中央部分に形成された孔（図示せず）より前記保冷体２の両先端側を挿入することで、保冷用のホルダー１を構成する。尚、布体３に形成された孔はこれに限定されるものでなく、布体３の一端側にのみ孔を設け、保冷体２の一方の端部側より挿入する形成も可能である。【００３１】前記枠体５は、全体が馬蹄形状で断面が半円弧状で、屈曲部分Ａの径の相違する３本の溝４が形成されている。しかも、前記各溝４は前記長さの相違する各保冷体２の長さに応じた長さに形成されている。【００３２】尚、溝４の本数は３本に限定されておらず、２本又は３本以上であってもよい。しかも、前記各保冷体２の長さに応じて溝４の長さは形成されている。【００３３】また、馬蹄形状に形成した保冷体２の両端側の距離Ｌは、実施例では平行に形成したが本発明において、両端側は平行に限定されるものでなく、先端側にいくほど距離Ｌが近接するように形成することでさらに首に巻きつけた際の離反率を工場することも可能である。【００３４】次に、上記保冷用のホルダー１を製造する場合は、使用者の首に最適な保冷体２を船体し、該選択した保冷体２を選択した最適な溝４に嵌入して、冷凍庫で冷凍する。【００３５】これにより、保冷体２は溝４の断面の半円弧状により下方側を円弧状に形成し、上方側を平面状にし、全体を馬蹄形状に形成することとなる。【００３６】そして、溝４より取り出した保冷体２を布体３の孔より挿入して布体３に収納することで保冷用のホルダー１を製造する。【００３７】次に、前記保冷用のホルダー１を使用する場合は、保冷用のホルダー１の屈曲部分Ａを首の後ろ側に位置させ、保冷用のホルダー１の両端側を形動若の上に位置するように巻きつける。【００３８】この際、保冷体２の水平面側を皮膚に接する側とすることで皮膚との設置面積を大きくし、また上部側の円弧状部分でも首側に接するために、体を適切に保冷することができる。【００３９】また、保冷体２の断面形状が半円弧状であるために、皮膚との設置面より上に保冷剤の多くが位置することとなり、保冷体２の解凍する時間をながく保つことができ、保冷時間を長時間可能とする。【００４０】また、長期間にわたって使用できるので、頻繁な保冷体２の交換を必要としない。【００４１】尚、上記実施例では枠体５の溝４の断面形状を半円弧状に形成したが、本発明において溝４の断面形状はこれに限定されるものでなく、逆扇型形状、角を丸くした略三角状でもよい。要は、下方側の設置面積が広ければよい。
【図面の簡単な説明】
【００４２】
【図１】本発明の保冷用のホルダーを示す概略説明平面図
【図２】図１の保冷用のホルダーを示す概略説明側面断面図
【図３】本発明の保冷用のホルダーの製造方法に使用する馬蹄形状の溝の形成された枠体を示す概略説明平面図
【図４】図３の枠体を示す概略説明正面図
【図５】本発明の保冷用のホルダーの使用状態を示す概略説明平面図
【符号の説明】１−保冷用のホルダー、２−保冷体、３−袋体、４−溝
【図１】
2013236895.tif 000003
【図２】
2013236895.tif 000004
【図３】
2013236895.tif 000005
【図４】
2013236895.tif 000006
【図５】
2013236895.tif 000007